(57)【特許請求の範囲】
【請求項１】
２枚の基板によって形成される空隙内に表面安定化された強誘電性液晶が封入された液晶パネルと、該液晶パネルを挟むように配置された２枚の偏光板とを有する強誘電性液晶表示素子において、前記強誘電性液晶のチルト角をθ、液晶分子の長軸と一方の偏光板の偏光軸とが一致して暗状態のレベルが最小となる状態から明状態が明るくなる方向への前記一方の偏光板の偏光軸の回転角をφとした場合に、明状態における液晶分子の長軸と前記一方の偏光板の偏光軸とのなす角である２θ＋φの大きさが35〜55°となるように前記一方の偏光板を設置していることを特徴とする強誘電性液晶表示素子。
【請求項２】
明状態における液晶分子の長軸と前記一方の偏光板の偏光軸とのなす角である２θ＋φの大きさがが45°であることを特徴とする請求項１記載の強誘電性液晶表示素子。
【請求項３】
光反射膜を備え、反射型の強誘電性液晶表示素子であることを特徴とする請求項１または２記載の強誘電性液晶表示素子。
【請求項４】
カラーフィルタを備え、カラーの強誘電性液晶表示素子であることを特徴とする請求項１，２または３記載の強誘電性液晶表示素子。
【発明の詳細な説明】
【０００１】
【発明の属する技術分野】
本発明は、強誘電性液晶を用いた液晶表示素子に関する。
【０００２】
【従来の技術】
近年、個人的に使用するワードプロセッサ，パーソナルコンピュータ等、小型軽量化が求められる情報機器には、液晶ディスプレイが広く使用されている。特に最近広く普及しつつある携帯型の情報機器に使用される液晶ディスプレイには、単に、小型化，軽量化だけでなく、低消費電力化，カラー化等の画質向上が強く要望されている。低消費電力という観点から見ると、バックライトが不要である高画質の反射型液晶表示素子が求められている。
【０００３】
このような液晶表示素子において、強誘電性液晶を用いた液晶表示素子、所謂、強誘電性液晶表示素子が注目されている。強誘電性液晶は、強誘電性を示すスメチック相からなる液晶分子の配列を有し、液晶分子の配列にメモリ性がある、応答速度が極めて速い、視野角が広い等の優れた特徴を備えている。
【０００４】
強誘電性液晶を液晶表示素子に用いる場合、液晶分子の螺旋構造をほどいて、それぞれの液晶分子の自発分極を層間にわたって一定方向に揃えることが必要である。これを実現するためには、液晶表示素子のセル厚を螺旋ピッチよりも小さくすれば良い。即ち、強誘電性液晶の螺旋軸が基板に平行、層が垂直なパネルにおいては、１〜２μｍぐらいの薄さになると、図８に示すような構造になる。
【０００５】
この表面で安定化された状態（Ｓｕｒｆａｃｅ  Ｓｔａｂｉｌｉｚｅｄ  ｓｔａｔｅｓ：ＳＳ状態）では、自発分極の反転という強誘電性液晶の強誘電性としての性質を利用できる。このような液晶パネルを表面安定化強誘電性液晶（Ｓｕｒｆａｃｅ  Ｓｔａｂｉｌｉｚｅｄ  Ｆｅｒｒｏｅｌｅｃｔｒｉｃ  Ｌｉｑｕｉｄ  Ｃｒｙｓｔａｌ：ＳＳＦＬＣ）パネルという。自発分極Ｐの上向き，下向きに対応して、液晶分子Ｌの長軸が層法線方向から右側，左側にそれぞれθだけ傾いており（この傾斜角をチルト角という）、双安定状態になっている。右側に傾いた状態と左側に傾いた状態とが最初は混在していても、透明電極を使って電場Ｅを上向きに印加すれば、全体が右側に傾いた状態となる。一方、印加電場Ｅを反転して下向きにすれば、全体が右側に傾いた状態になる。この様子をモデル的に図９に示す。
【０００６】
ＳＳ状態を利用した強誘電性液晶パネルは、双安定性を示し、層法線に対して左右いずれの側に傾いた状態も安定であり、しかも電場印加によりいずれかの状態にした後、電場を切っても、その状態を維持し続ける。すなわち、メモリ性があり、この強誘電性液晶液晶のメモリ効果を利用した大容量表示が可能である。また、ネマチック液晶のスイッチングが液晶の誘電異方性と電界エネルギとの相互作用によって行われるのに対して、強誘電性液晶のスイッチングは液晶の双極子モーメントと電界との相互作用によって行われるので、その応答速度はネマチック液晶に比べて非常に速く、１ライン当たりの走査時間が１００  μｓｅｃ．程度と極めて短く、高速対応である。更に、強誘電性液晶表示素子では、液晶分子が印加電圧の有無に関わらず常に基板に対して平行であるので、視野角が極めて広く、実用上、表示特性の視野角がないと言ってもよい程である。
【０００７】
直交させた２枚の偏光板の間にこの強誘電性液晶パネルを挿入し、例えば液晶分子の長軸が右側に傾いているとき暗視野になるように、一方の偏光板の偏光軸を液晶分子の長軸と一致させておく。電場を反転させて、液晶分子の長軸を左側に傾かせれば、複屈折により光が透過する。この際の透過光量Ｉは入射光量Ｉ０  を用いて以下の式（１）で表される。
【０００８】
Ｉ＝Ｉ０    ｓｉｎ２  ２α・  ｓｉｎ２  （πΔｎｄ／λ）      …（１）
但し、
ｄ：パネルギャップ          Δｎ：液晶の屈折率
λ：波長          α：液晶の光軸と一方の偏光板の偏光軸とのなす角度
【０００９】
一方の偏光板の偏光軸と液晶分子の長軸とが一致しているとき、式（１）においてα＝０となり、透過光量Ｉ＝０（黒レベルが最小）となる。電場を反転させると、液晶分子が逆に傾き、α＝２θとなる。よって、理論的には、式（１）においてα＝４５°つまりθ＝２２．５°のとき、透過光量Ｉは最大となる。しかしながら、実際の強誘電性液晶のチルト角θは１０〜１６°程度と小さいので、最大の透過光量を得ることができない。
【００１０】
図１０は、強誘電性液晶表示素子の基本的な構成を示す図である。図１０において、３１，３２は図示しないスペーサにより所定間隔（１〜２μｍ程度）を隔てて対向配置された２枚の透明なガラス基板である。下側のガラス基板３２の上面には、画面部分に電界を与えるため一方の電極である透明電極３４，絶縁膜３６及び配向膜３８がこの順に積層形成されている。上側のガラス基板３１の下面には、画素部分に電界を与えるための他方の電極である透明電極３３，絶縁膜３５及び配向膜３７がこの順に積層形成されている。配向膜３７，３８が対向する空間内に強誘電性液晶３９が封入されている。このような構成の液晶セルが、偏光軸を直交させた２枚の偏光板４０，４１の間に挿入されている。なお、バックライトを用いず周囲光を利用して表示を行う反射型の強誘電性液晶表示素子の場合には、一方の偏光板４０（または４１）に反射膜が付設されている。
【００１１】
上述した構成において、例えば強誘電性液晶３９の分子が右側に傾いているときに暗視野になるように、一方の偏光板４０（または４１）の偏光軸を強誘電性液晶３９の分子長軸と一致させている。即ち、偏光板４０，４１の両偏光軸と液晶分子長軸との関係は図１１のようになり、最小の暗レベルを得ることができる。
【００１２】
【発明が解決しようとする課題】
しかしながら、上述したように、強誘電性液晶のチルト角θは、実際には、１０〜１６°程度であり、透過光量を最大とする理想の２２．５°を得ることが難しい。従って、従来の強誘電性液晶表示素子における偏光板の偏光軸と液晶分子長軸との関係では、最小の暗レベルを得ることはできるが、チルト角が小さいので、明状態における光の利用効率が悪く、暗い明状態となってしまう。特に、反射型の強誘電性液晶ディスプレイでは、周囲光のみを用いて表示を行うので、利用できる光量が絶対的に小さいため、明状態において光の利用効率が低くて大きな透過光量を得られないという問題は深刻である。このように、従来の反射型の強誘電性液晶ディスプレイは、暗い表示しか行えないという課題があり、透過率の向上，明るさの増大が望まれている。
【００１３】
本発明は斯かる事情に鑑みてなされたものであり、明状態における光の利用効率を高めて明るい表示を実現できる強誘電性液晶表示素子、特に、反射型の強誘電性液晶表示素子を提供することを目的とする。
【００１４】
【課題を解決するための手段】
請求項１記載の強誘電性液晶表示素子は、２枚の基板によって形成される空隙内に表面安定化された強誘電性液晶が封入された液晶パネルと、該液晶パネルを挟むように配置された２枚の偏光板とを有する強誘電性液晶表示素子において、前記強誘電性液晶のチルト角をθ、液晶分子の長軸と一方の偏光板の偏光軸とが一致して暗状態のレベルが最小となる状態から明状態が明るくなる方向への前記一方の偏光板の偏光軸の回転角をφとした場合に、明状態における液晶分子の長軸と前記一方の偏光板の偏光軸とのなす角である２θ＋φの大きさが35〜55°となるように前記一方の偏光板を設置していることを特徴とする。
【００１５】
請求項２記載の強誘電性液晶表示素子は、請求項１において、明状態における液晶分子の長軸と前記一方の偏光板の偏光軸とのなす角である２θ＋φの大きさがが45°であることを特徴とする。
【００１６】
請求項３記載の強誘電性液晶表示素子は、請求項１または２において、光反射膜を備え、反射型の強誘電性液晶表示素子であることを特徴とする。
【００１７】
請求項４記載の強誘電性液晶表示素子は、請求項１，２または３において、カラーフィルタを備え、カラーの強誘電性液晶表示素子であることを特徴とする。
【００１８】
本発明の強誘電性液晶表示素子にあっては、液晶分子長軸と一方の偏光板の偏光軸とが一致して暗状態のレベルが最小となる従来の状態から、明状態が明るくなる方向に、その偏光板を回転させ、明状態の液晶分子長軸とその偏光板の偏光軸とのなす角が３５〜５５°、好ましくは４５°となるようにその偏光板を設置する。このようにすると、以下に述べるような理由により、明状態での光の利用効率を高めることができ、明るい表示が可能となる。
【００１９】
従来の液晶分子長軸と一方の偏光板の偏光軸とが一致して暗状態のレベルが最小となる状態から、図１２に示すように、明状態が明るくなる方向へ、偏光軸をφだけ回転させると透過光量Ｉは、以下の式（２）で表される。
【００２０】
Ｉ＝Ｉ０    ｓｉｎ２  ２（α＋φ）・  ｓｉｎ２  （πΔｎｄ／λ）      …（２）
【００２１】
例えば、使用する強誘電性液晶のチルト角θが１６°（α＝２θ＝３２°）のとき明状態の透過光量は、φが大きくなるに従って増加し、φ＝１３°（α＋φ＝４５°）のとき、すなわち、液晶分子長軸と一方の偏光板の偏光軸とのなす角が４５°のときに最大となる。また、例えば、チルト角θが１３°である強誘電性液晶を使用した場合には、φが大きくなるに従って透過光量が増加し、φ＝１９°（α＋φ＝４５°）のとき最大となる。
【００２２】
以上のように、使用する強誘電性液晶のチルト角θとは無関係に、液晶分子長軸と一方の偏光板の偏光軸とが一致して暗状態のレベルが最小となる状態から、明状態が明るくなる方向へ、その偏光板の偏光軸をずらすことにより、明状態の透過光量を増加することができる。
【００２３】
【発明の実施の形態】
以下、本発明をその実施の形態を示す図面に基づいて具体的に説明する。なお、本発明はこれらの実施の形態に限定されるものではない。
【００２４】
（実施の形態１）
図１は、本発明の実施の形態１（第１例）による強誘電性液晶表示素子の構成を示す図である。図１において、２，１１は２枚の透明なガラス基板である。下側のガラス基板１１の上面には、画面部分に電界を与えるため一方の電極であるＩＴＯからなる透明電極１０，ＳｉＯ２  からなる絶縁膜９及び上面がラビング処理されたポリイミドからなる配向膜８がこの順に積層形成されている。上側のガラス基板２の下面には、画素部分に電界を与えるための他方の電極であるＩＴＯからなる透明電極３，ＳｉＯ２  からなる絶縁膜４及び下面がラビング処理されたポリイミドからなる配向膜５がこの順に積層形成されている。
【００２５】
ガラス基板２，１１を含むそれぞれの積層体は、ガラス球からなるスペーサ６により所定間隔（基板間隔が約２μｍ）を隔てて、配向膜５，８が対向する態様にて対向配置されており、両積層体間の空間内に強誘電性液晶７が封入されている。強誘電性液晶７は、ナフタレン系液晶を主成分とし、ブックシェルフ型の層構造を有し、チルト角θ＝１６°である。
【００２６】
表面にＳｉＯ２  膜（絶縁膜４，９）を約１０００Å蒸着した透明電極３，１０（電極幅  ０．１８５ｍｍ，ピッチ  ０．２ｍｍ）付きのガラス基板２，１１をそれぞれ洗浄した後、ポリイミドをスピンコータで塗布し、２００  ℃，１時間焼成し、約１０００Åのポリイミド膜（配向膜５，８）を成膜し、このポリイミド膜の表面をレーヨン製の布でラビングし、  １．６μｍ平均粒径のガラス球をスペーサ６として、液晶パネルを作製する。出来上がりのセルギャップは約２μｍであり、このセルにナフタレン系液晶を主成分とするチルト角θ＝１６°の強誘電性液晶７を注入して、上述した構成を有する液晶パネルを作製する。
【００２７】
このような構成の液晶セルが、偏光軸を直交させた２枚の偏光板１，１２の間に挿入されている。この際、強誘電性液晶７の分子長軸と一方の偏光板１の偏光軸とが一致して暗状態のレベルが最小となる状態から、この一方の偏光板１をφだけ回転させた状態に設定する。他方の偏光板１２は、その偏光軸が偏光板１の偏光軸に直交するように設定する。なお、これらの各偏光板１，１２として、例えば、日東電工（株）製：ＮＰＦ−Ｇ１２２０ＤＵ  の偏光板を使用する。
【００２８】
図２は、チルト角θ＝１６°（α＝２θ＝３２°）の強誘電性液晶７の暗状態における分子長軸と偏光板１の偏光軸とのなす角φを変化させた場合における光透過率の変化を示すグラフであり、光透過率は最大の透過量に対する比の値で示している。また、チルト角θ＝１３°（α＝２θ＝２６°）である強誘電性液晶７を使用した場合における同様な光透過率の変化を図３に示す。図２，図３においては、実線が前述の式（２）に基づく明状態の計算値、点線が前述の式（２）に基づく暗状態の計算値を示し、○が明状態の実際の測定値、△が暗状態の実際の測定値を示している。なお、透過光量は、光電子増倍管にて測定した。
【００２９】
図２，図３から明らかなように、透過光量比の測定値は、前述の式（２）に基づく計算値と良好な一致を示す。そして、強誘電性液晶７のチルト角θによらず、φが０°から大きくなるに従って透過光量比が増大し、明状態における一方の偏光板１の偏光軸と強誘電性液晶７の分子長軸とのなす角φ＋αの値が３５〜５５°のときに、明状態の透過光量比が０．８８以上と高い値を示す。同様に、φ＋αの値が４０〜５０°のときには、明状態の透過光量比が０．９７以上とほぼ１に近い値が得られる。さらにφ＋αの値が４５°（チルト角θ＝１６°の強誘電性液晶７の場合にはφ＝１３°，チルト角θ＝１３°の強誘電性液晶７の場合にはφ＝１９°）になると、明状態の透過光量比が最大の１になる。
【００３０】
以上のように、暗状態のレベルが最小となる従来の状態から、明状態が明るくなる方向へ、一方の偏光板を回転させ、明状態の液晶分子長軸と一方の偏光板の偏光軸とのなす角を３５〜５５°、好ましくは４０〜５０°、さらに好ましくは４５°となるように偏光板を設置することにより、明状態での透過光量を高めることが可能となり、明るい表示が可能になる。また、２枚の偏光板の偏光軸を直交させているので、黒の表示が明瞭となる。
【００３１】
（実施の形態２）
図４は、本発明の実施の形態２（第２例）による強誘電性液晶表示素子の構成を示す図である。図４に示す第２例は、バックライトを用いずに周囲光を利用して表示を行う反射型の強誘電性液晶表示素子である。一方の偏光板１２の下側面（ガラス基板１１と反対側の面）に、光を反射する反射膜１３が設けられている点を除いて、第２例の構成は上述した第１例の構成と基本的に同じであり、図４に示す第２例において、図１に示す第１例と同一部分には同一番号を付して説明を省略する。なお、第２例でも第１例と同様に、封入する強誘電性液晶７として、ブックシェルフ型の層構造を有し、チルト角θ＝１６°であり、ナフタレン系液晶を主成分とする液晶を用いている。また、この第２例の製造工程は、予め反射膜１３が付設された偏光板１２（例えば、日東電工（株）製：ＮＰＦ−Ｆ３２２５Ｍの偏光板）を準備しておけば、上述した第１例の製造工程と同様であるので、その説明は省略する。
【００３２】
図４に示す第２例では、偏光軸が直交した２枚の偏光板１，１２（偏光板１２には反射膜１３が付設）の間に液晶パネルを挿入し、強誘電性液晶７の２つの安定状態の内、一方に傾いたときの強誘電性液晶７の分子長軸と偏光板１の偏光軸とが図５に示すように４５°となるように、すなわち、従来の液晶分子長軸と一方の偏光板の偏光軸とが一致した状態から１３°だけ偏光板１を回転させて配置している。
【００３３】
この第２例の反射型の強誘電性液晶表示素子の明状態の反射輝度を、１０００ｌｘの環境下において、輝度計を用いて測定すると、２１．４ｃｄ／ｍ２  と高く、明るい表示が得られた。同様にして、暗状態の反射輝度を測定すると、１．６７ｃｄ／ｍ２  と低く、良好な黒が得られた。
【００３４】
上述の第２例と同様な構成を有し、明状態の強誘電性液晶７の分子長軸と偏光板１の偏光軸とのなす角が３５°，５５°である反射型の強誘電性液晶表示素子を作製し、明状態，暗状態の反射輝度を測定した。３５°のとき、明状態では１８．６ｃｄ／ｍ２  、暗状態では１．５１ｃｄ／ｍ２  の輝度であった。５５°のとき、明状態では１８．３ｃｄ／ｍ２  、暗状態では１．８５ｃｄ／ｍ２  の輝度が得られた。このように、明状態の強誘電性液晶７の分子長軸と偏光板１の偏光軸とのなす角が３５°，５５°の場合においても、明るい表示が得られた。
【００３５】
また、上述の第２例と同様な構成を有し、従来例のように、暗状態の強誘電性液晶の分子長軸と一方の偏光板の偏光軸とを一致させた反射型の強誘電性液晶表示素子（比較例１）を作製した。この比較例１の反射型の強誘電性液晶表示素子の明状態の輝度を、１０００ｌｘの環境下において、輝度計を用いて測定すると、１２．１ｃｄ／ｍ２  と低く暗い表示であった。同様にして、暗状態の輝度を測定すると、１．２２ｃｄ／ｍ２  であった。
【００３６】
（実施の形態３）
図６は、本発明の実施の形態３（第３例）による強誘電性液晶表示素子の構成を示す図である。図６に示す第３例は、バックライトを用いずに周囲光を利用してカラー表示を行う反射型のカラー強誘電性液晶表示素子である。図６において図４と同一部分には同一番号を付して説明を省略する。図６に示す第３例では、一方のパターン化された透明電極１０とガラス基板１１との間にＲＧＢカラーフィルタ１４が設けられている。このＲＧＢカラーフィルタ１４のそれぞれの膜厚と色度（ｘ，ｙ）とは、Ｒ：１．８０μｍ，（０．６４，０．３３）、Ｇ：１．５８μｍ，（０．３０，０．６６）、Ｂ：１．１５μｍ，（０．１４，０．１２）である。また、第３例でも第１，第２例と同様に、封入する強誘電性液晶７として、ブックシェルフ型の層構造を有し、チルト角θ＝１６°であり、ナフタレン系液晶を主成分とする液晶を用いている。
【００３７】
表面にＳｉＯ２  膜（絶縁膜４）を約１０００Å蒸着した透明電極３（電極幅  ０．３ｍｍ，ピッチ０．３３ｍｍ）付きのガラス基板２、及び、ＳｉＯ２  膜（絶縁膜９），透明電極１０（電極幅０．０８ｍｍ，ピッチ０．１１ｍｍ），ＲＧＢカラーフィルタ１４付きのガラス基板１１を洗浄した後、ポリイミドをスピンコータで塗布し、２００  ℃，１時間焼成し、約１０００Åのポリイミド膜（配向膜５，８）を成膜した。このポリイミド膜の表面をレーヨン製の布でラビングし、  １．６μｍ平均粒径のガラス球をスペーサ６として、液晶パネルを作製する。出来上がりのセルギャップは約２μｍであり、このセルにナフタレン系液晶を主成分とするチルト角θ＝１６°の強誘電性液晶７を注入して、上述した構成を有する液晶パネルを作製する。
【００３８】
偏光軸が直交した２枚の偏光板１，１２（内１方の偏光板１２は反射膜１３付き）の間にこの液晶パネルを挿入し、上述の第２例と同様に、強誘電性液晶７の２つの安定状態の内、一方に傾いたときの強誘電性液晶７の分子長軸と偏光板１の偏光軸とが４５°（図５参照）となるように配置した反射型のカラー強誘電性液晶表示素子を作製する。
【００３９】
この第３例の反射型のカラー強誘電性液晶表示素子における各カラーフィルタ１４（ＲＧＢ）の表示色（ｘ，ｙ）と明状態，暗状態の輝度とを１０００ｌｘの環境下において測定した。表示色の測定結果を図７に、輝度の測定結果を表１に示す。また、上述の第３例と同様な構成を有し、従来例のように、暗状態の強誘電性液晶の分子長軸と一方の偏光板の偏光軸とを一致させた反射型のカラー強誘電性液晶表示素子（比較例２）を作製し、この反射型のカラー強誘電性液晶表示素子の各カラーフィルタ（ＲＧＢ）の表示色と明状態，暗状態の輝度を、１０００ｌｘの環境下において測定した。表示色の測定結果を図７に、輝度の測定結果を表１に示す。
【００４０】
【表１】
0003586779.tif 000002
【００４１】
明状態，暗状態の輝度については、表１に示すように、従来例による比較例２では、明状態の輝度が低く、暗い表示であったが、本発明による第３例では、明状態の輝度が高く、明るい表示であった。また、表示色については、図７に示すように、比較例２では、各カラーフィルタ（ＲＧＢ）の彩度が低く、色再現性が悪い表示であったが、第３例では、各カラーフィルタ１４（ＲＧＢ）で高い彩度が得られており、表示色に優れた表示であった。
【００４２】
【発明の効果】
以上、詳述したように、本発明の強誘電性液晶表示素子では、強誘電性液晶の分子長軸と一方の偏光板の偏光軸とが一致して暗状態のレベルが最小となる従来の状態から、明状態が明るくなる方向に、その偏光板を回転させ、明状態の液晶分子長軸とその偏光板の偏光軸とのなす角が３５〜５５°、好ましくは４５°となるようにその偏光板を設置するようにしたので、広視野角，大容量表示及び高速応答が可能な強誘電性液晶表示素子の透過光量の最適化を実現でき、明るく、明瞭な表示が可能な反射型の強誘電性液晶表示素子を得ることができる。
【図面の簡単な説明】
【図１】本発明の第１例による透過型の強誘電性液晶表示素子の構成図である。
【図２】チルト角１６°の強誘電性液晶を用いた第１例における偏光板の偏光軸と液晶分子長軸との角度を変えた場合の光透過率の変化を示す図である。
【図３】チルト角１３°の強誘電性液晶を用いた第１例における偏光板の偏光軸と液晶分子長軸との角度を変えた場合の光透過率の変化を示す図である。
【図４】本発明の第２例による反射型の強誘電性液晶表示素子の構成図である。
【図５】第２例における偏光板の偏光軸と液晶分子長軸との関係を示す図である。
【図６】本発明の第３例による反射型のカラー強誘電性液晶表示素子の構成図である。
【図７】第３例及び比較例２におけるＣＩＥ色度図である。
【図８】表面安定化強誘電性液晶を説明するための図である。
【図９】強誘電性液晶表示素子を説明するための液晶分子のモデル図である。
【図１０】強誘電性液晶表示素子の一般的な構成を示す図である。
【図１１】従来の強誘電性液晶表示素子における偏光板の偏光軸と液晶分子長軸との関係を説明するための図である。
【図１２】本発明の強誘電性液晶表示素子における偏光板の偏光軸と液晶分子長軸との関係を説明するための図である。
【符号の説明】
１，１２  偏光板
２，１１  ガラス基板
３，１０  透明電極（ＩＴＯ）
４，９  絶縁膜（ＳｉＯ２  ）
５，８  配向膜（ポリイミド）
６  スペーサ
７  強誘電性液晶
１３    反射膜
１４    ＲＧＢカラーフィルタ
【図１】
0003586779.tif 000003
【図２】
0003586779.tif 000004
【図３】
0003586779.tif 000005
【図４】
0003586779.tif 000006
【図５】
0003586779.tif 000007
【図６】
0003586779.tif 000008
【図７】
0003586779.tif 000009
【図８】
0003586779.tif 000010
【図９】
0003586779.tif 000011
【図１０】
0003586779.tif 000012
【図１１】
0003586779.tif 000013
【図１２】
0003586779.tif 000014